(57)【要約】【課題】より高い信頼性で、電源装置の過電圧保護を行う。【解決手段】メイン電源部とサブ電源部を備え、かつ、電源トランスを備える電源装置として、サブ電源部では、電源トランスの二次巻線に得られる交流電圧のレベルに応じたサブ側検出用電圧を生成する。マイクロコンピュータは、サブ側検出用電圧のレベルを検出して、正常範囲外であると判別した場合に、メイン電源部の動作をオン／オフするためのメインスイッチがオン状態となることを禁止設定する。【選択図】        図３
2004328958.tif 000002
【特許請求の範囲】
【請求項１】
一次巻線に入力された商用交流電源により、負荷に供給すべきメイン電源電圧の生成に利用されるべきメイン電源用交流電圧が二次巻線に励起されるメイン電源用トランスと、
一次巻線に入力された商用交流電源により、メイン電源電圧が供給される負荷よりも軽い負荷に供給すべきサブ電源電圧の生成に利用されるべきサブ電源用交流電圧が二次巻線に励起されるサブ電源用トランスと、
上記サブ電源用交流電圧のレベルに応じたサブ側検出用電圧を生成して出力するサブ側検出用電圧出力手段と、
上記メイン電源用トランスの一次巻線と接続される側の上記商用交流電源のラインに挿入されて、オン／オフが切り換えられるメイン電源用スイッチと、
所定の検出タイミングで、上記サブ側検出用電圧のレベルを検出するサブ側検出手段と、
上記サブ側検出手段の所定の検出結果に応じて、上記メイン電源用スイッチがオン状態となることを禁止設定する制御手段と、
を備えることを特徴とする電源装置。
【請求項２】
上記サブ側検出手段は、上記商用交流電源が投入されるタイミングで上記サブ側検出用電圧のレベルを検出するようにされている、
ことを特徴とする請求項１に記載の電源装置。
【請求項３】
上記サブ側検出手段は、上記メイン電源用スイッチを、オフの状態からオンの状態に切り換えるべきタイミングで上記サブ側検出用電圧のレベルを検出するようにされている、
ことを特徴とする請求項１に記載の電源装置。
【請求項４】
上記サブ側検出手段は、上記制御手段により上記禁止設定がされた後において、所定タイミングで上記サブ側検出用電圧のレベルを検出するようにされており、
上記制御手段は、上記禁止設定がされた後の上記サブ側検出手段による所定の検出結果に応じて、上記メイン電源用スイッチがオン状態となることを許可設定するようにされている、
ことを特徴とする請求項１に記載の電源装置。
【請求項５】
上記サブ側検出手段は、
上記電源装置が搭載される電子機器に備えられ、プログラムに従って所要の動作を実行するマイクロコンピュータである、
ことを特徴とする請求項１に記載の電源装置。
【請求項６】
上記制御手段は、
上記電源装置が搭載される電子機器に備えられ、プログラムに従って所要の動作を実行するマイクロコンピュータである、
ことを特徴とする請求項１に記載の電源装置。
【請求項７】
上記メイン電源用交流電圧に応じたメイン側検出用電圧を生成して出力するメイン側検出用電圧出力手段と、
メイン電源用スイッチがオンとされている状態の下で、上記メイン側検出用電圧のレベルを検出するメイン側検出手段と、をさらに備えると共に、
上記制御手段は、上記メイン側検出手段の所定の検出結果に応じて、上記メイン電源用スイッチがオン状態となることを禁止設定するようにされている、
ことを特徴とする請求項１に記載の電源装置。
【請求項８】
上記メイン側検出手段は、
上記電源装置が搭載される電子機器に備えられ、プログラムに従って所要の動作を実行するマイクロコンピュータである、
ことを特徴とする請求項７に記載の電源装置。
【発明の詳細な説明】
【０００１】
【発明の属する技術分野】
本発明は電源装置に関するものであり、特に、商用交流電源が所定レベルとなるように変換する電源用トランスを備えるような電源回路について、回路保護のための構成が負荷された電源装置に関する。
【０００２】
【従来の技術】
各種電子機器に備えられる電源装置として、商用交流電源を入力して所要のレベルに安定化された直流電源電圧を得るようにされたものがある。
このような電源装置としてはスイッチングコンバータを備えたものが知られている。このスイッチングコンバータを備えた電源装置では、例えば商用交流電源に対して整流平滑回路を接続して直流入力電圧を生成する。そして、この直流入力電圧をスイッチングコンバータ（ＤＣ−ＤＣコンバータ）によりスイッチングして安定化制御を行い、最終的に安定化された直流電源電圧を出力するようにされる。そして、このようなスイッチングコンバータを備える構成では、スイッチング動作の異常などに対応した保護回路を備えることが広く行われている（例えば特許文献１）参照。
【０００３】
また、商用交流電源を入力する電源装置として、商用交流電源に対していわゆる電源トランスを備えたものが知られている。
このような構成の電源装置では、電源トランスの一次側に入力される商用交流電源を、例えば最終的に必要とされる直流電源電圧レベルに対応して設定された交流電圧レベルに変換して二次側から出力する。そして、二次側においては、この交流電圧から直流電源電圧を生成するようにされる。この場合にも、直流電源電圧は、必要に応じて安定化される。
このような構成では、スイッチングコンバータを備える場合と比較すると、電源トランスを備える分、回路規模は大きくなり、また、電力変換効率の点でも不利となる。反面、スイッチングコンバータを備えた構成よりも低コストで構成することができ、また、ノイズにも有利であることから、現在でも電子機器の種別、用途等に応じて広く採用されている。
【０００４】
上記したような電源トランスを備える構成の電源装置において、例えば交流入力電圧についての許容範囲を越えるレベル上昇や電源トランスの巻線の短絡などに対応して回路を保護するための構成としては、単純に、商用交流電源ライン及び電源トランスの二次巻線に接続される整流回路の整流電流経路内などにヒューズを直列に挿入することが一般的である。
【０００５】
【特許文献１】
特開２０００−１３４９３６号公報
【０００６】
【発明が解決しようとする課題】
上記のようにして、電源トランスを備える電源装置においては、ヒューズにより回路保護を図ることが行われる場合があるが、この場合、ヒューズによる保護動作の信頼性は非常に低い。つまり、例えば実際には、或る原因によって、過電圧または過電流となったときに、ヒューズが溶融して断線する前に、部品素子に耐圧を越える電圧が印加されたり、また、許容以上の電流が流れるなどして破壊されてしまう場合も生じていたものである。
【０００７】
【課題を解決するための手段】
そこで本発明は、上記した課題を考慮して、例えば電源トランスを備える構成を採る電源装置についても、高い信頼性で過電圧、過電流に対する回路保護が行えるようにすることを目的として、電源装置として次のように構成する。
つまり、一次巻線に入力された商用交流電源により、負荷に供給すべきメイン電源電圧の生成に利用されるべきメイン電源用交流電圧が二次巻線に励起されるメイン電源用トランスと、一次巻線に入力された商用交流電源により、メイン電源電圧が供給される負荷よりも軽い負荷に供給すべきサブ電源電圧の生成に利用されるべきサブ電源用交流電圧が二次巻線に励起されるサブ電源用トランスと、サブ電源用交流電圧のレベルに応じたサブ側検出用電圧を生成して出力するサブ側検出用電圧出力手段と、メイン電源用トランスの一次巻線と接続される側の商用交流電源のラインに挿入されて、オン／オフが切り換えられるメイン電源用スイッチと、所定の検出タイミングで、サブ側検出用電圧のレベルを検出するサブ側検出手段と、サブ側検出手段の所定の検出結果に応じて、メイン電源用スイッチがオン状態となることを禁止設定する制御手段とを備えて構成することとした。
【０００８】
上記構成によると、本発明の電源装置は、共通の商用交流電源に対してメイン電源電圧を生成するメイン電源と、サブ電源電圧を生成するサブ電源とを備えており、一次側に商用交流電源を入力して二次側からレベル変換して出力する電源トランスとして、メイン電源側はメイン用電源トランスを備え、サブ電源側はサブ用電源トランスを備えている。
この構成の下で、サブ電源側において、サブ電源用トランスの二次巻線に得られる交流電圧のレベルに応じたサブ側検出用電圧が生成され、このサブ側検出用電圧の検出結果に応じては、メイン電源側をオン／オフするための、メイン電源用スイッチがオン状態となることを禁止するように設定するための制御が実行されるようになっている。
この構成において、サブ側検出用電圧は、サブ電源用トランスの二次巻線に得られる交流電圧のレベルに応じたものであるが、この交流電圧レベルは、一次側の商用交流電源レベルに応じたものである。従って、サブ側検出用電圧によっては、商用交流電源レベルを間接的に検出できることになる。
また、商用交流電源をサブ側検出用電圧によって検出するということは、メイン電源側に商用交流電源が供給されずにメイン電源が動作していないときでも、商用交流電源レベルの検出が可能とされていることになる。
【０００９】
【発明の実施の形態】
図１は、本発明の実施の形態としての電源装置の構成例を示している。この図に示す実施の形態としての電源装置は、電源回路とマイクロコンピュータとを組み合わせた構成とされる。実施の形態の電源回路は、例えば、少なくとも、オーディオ信号を増幅するためのアンプ回路を備える電子機器に搭載されるもので、商用交流電源を入力して動作する。そして、メイン電源部とサブ電源部（スタンバイ電源部）とを備える。メイン電源部は、上記アンプ回路側に対して供給すべき直流電源電圧を生成して出力する。サブ電源部はマイクロコンピュータなどのスタンバイ時おいて動作させるべき部品、回路に対して供給すべき直流電源電圧を生成して出力する。なお、マイクロコンピュータは、電子機器の全体制御を行う。
【００１０】
この電源装置は、商用交流電源ＡＣを入力するためのＡＣプラグ２５を備える。ＡＣプラグ２５を、例えば家庭内のＡＣコンセントに差し込むことで、電源装置に商用交流電源ＡＣが投入されることになる。
【００１１】
この場合、ＡＣプラグ２５の一方のプラグ端子２５ａと接続される側の商用交流電源のラインは、メイン電源部１００の入力段となる、メイン側セレクタ１の端子ｔ１と接続される。また、分岐して、サブ電源部２００の入力段となる、サブ側セレクタ１１の端子ｔ１とも接続される。
ＡＣプラグ２５の他方のプラグ端子２５ｂと接続される側の商用交流電源のラインは、メインスイッチ（メイン電源用スイッチ）２１を介して、メイントランス２の一次巻線Ｎ１の一端と接続される。また、分岐して、サブトランス１２の一次巻線Ｎ１１の一端と接続される。
【００１２】
上記メイン側セレクタ１とサブ側セレクタ１１は、共に、端子ｔ１が、端子ｔ２，ｔ３，ｔ４に対して択一的に接続されるようにして切り換えが行われるようになっている。また、この端子切り換えは、手動操作によって、連動して行われるようになっている。
なお、以降において、メイン側セレクタ１とサブ側セレクタ１１とを、一括して説明する場合には、電圧セレクタ１，１１のようにして記述する場合がある。
【００１３】
メイントランス２は、一次巻線Ｎ１と、二次巻線Ｎ２が巻装されており、一次巻線Ｎ１側には商用交流電源ＡＣが入力されることで、二次巻線Ｎ２には、一次巻線Ｎ１との巻線比に応じて商用交流電源ＡＣのレベルが変換されるようにして、交流電圧が励起される。
ここで、一次巻線Ｎ１には、所定の巻数の位置に対して２つのタップ出力が設けられている。そして、ＡＣプラグのプラグ端子２５ｂ側と接続されている端部ではない、もう一方の端部と、２つのタップ出力は、それぞれ、メイン側セレクタ１の端子ｔ２，ｔ３，ｔ４と接続される。
【００１４】
同様にして、サブトランス１２は、一次巻線Ｎ１１と、二次巻線Ｎ１２が巻装されており、一次巻線Ｎ１１側には商用交流電源ＡＣが入力される。そして、二次巻線Ｎ１２には、一次巻線Ｎ１１との巻線比に応じて商用交流電源ＡＣのレベルが変換されるようにして交流電圧が励起される。
このサブトランス１２の一次巻線Ｎ１１にも、所定の巻数の位置に対して２つのタップ出力が設けられている。そして、ＡＣプラグのプラグ端子２５ｂ側と接続されている端部ではない、もう一方の端部と、２つのタップ出力が、それぞれ、サブ側セレクタ１１の端子ｔ２，ｔ３，ｔ４と接続される。
【００１５】
商用交流電源ＡＣの定格レベルは、例えば地域に応じて、１００Ｖ系、２２０Ｖ系、２４０Ｖ系に分けられる。電圧セレクタ１，１１（メイン側セレクタ１、サブ側セレクタ１１）は、このような地域に応じて異なるとされる、商用交流電源ＡＣの入力レベルに応じて切り換えを行うために設けられる。
例えば、商用交流電源ＡＣが１００Ｖ系の場合には、電圧セレクタ１，１１について、端子ｔ１に端子ｔ４が接続されるように切り換えを行う。また、２２０Ｖ系の場合には、端子ｔ１に端子ｔ３が接続されるように切り換える、２４０Ｖ系の場合には、端子ｔ１に端子ｔ２が接続されるように切り換える。
電圧セレクタ１，１１の切り換えが行われれば、ＡＣ１００Ｖ系に対応しているときには、メイントランス２の一次巻線Ｎ１に対する二次巻線Ｎ２の巻線比、及びサブトランス１２の一次巻線Ｎ１１に対する二次巻線Ｎ１２の巻線比は、一番大きい所定値が得られる。そして、ＡＣ２２０Ｖ系に対応しているときには、これより小さな所定の巻線比が得られる。ＡＣ２４０Ｖ系に対応しているときには、これよりさらに小さな所定の巻線比が得られる。
このような巻線比の変更が行われることで、異なる商用交流電源ＡＣの入力レベルに対して、メイントランス２及びサブトランス１２のそれぞれの二次巻線Ｎ２，Ｎ１２において、ほぼ一定の所要の交流電圧が得られることになる。
【００１６】
メイン電源部１００において、上記メイントランス２の二次巻線Ｎ２に得られた交流電圧は、ブリッジ整流回路Ｄｉ１及び平滑コンデンサＣ１から成る全波整流回路によって整流平滑化されることで、平滑コンデンサＣ１の両端電圧として直流電圧Ｅ１が得られる。
この直流電圧Ｅ１は、メイントランス２の二次巻線Ｎ２に得られる交流電圧の等倍に対応したレベルを有している。また、安定化されていない電圧であるから、二次巻線Ｎ２の交流電圧のレベル変動に対応してレベルが変化する。また、メイントランス２の二次巻線Ｎ２に得られる交流電圧は、一次側の商用交流電源ＡＣのレベル変動に応じてレベルが変化する。従って、直流電圧Ｅ１も商用交流電源ＡＣのレベル変動に応じてレベルが変化するものである。
【００１７】
この直流電圧Ｅ１に対しては、メイン側検出回路３が備えられる。このメイン側検出回路３は、図示するようにして、平滑コンデンサＣ１に対して直列接続された分圧抵抗Ｒ１−Ｒ２と、例えば抵抗Ｒ２に対して並列に接続されたコンデンサＣ３とにより形成される。そして、分圧抵抗Ｒ１−Ｒ２により直流電圧Ｅ１を分圧して得られる電圧レベルが、メイン側検出用電圧となる。分圧抵抗Ｒ１−Ｒ２の分圧点は、マイクロコンピュータ３０のモニタポートＭＯＮ１と接続されている。つまり、このメイン側検出用電圧は、マイクロコンピュータ３０のモニタポートＭＯＮ１に対して入力される。
【００１８】
また、直流電圧Ｅ１は、リミッタ／リップルフィルタ４に対して入力される。
リミッタ／リップルフィルタ４は、入力された直流電圧Ｅ１が予め設定された許容レベル以上にまで上昇した場合において、この許容レベルよりも高いレベルとならないように制限する。また、直流電圧Ｅ１には、例えば商用交流電源ＡＣの周期に応じたリップルが重畳されているのであるが、このリップルを除去する。
このリミッタ／リップルフィルタ４の出力は、平滑コンデンサＣ２に供給される。
これにより、平滑コンデンサＣ２の両端電圧となる直流電圧Ｅ２は、直流電圧Ｅ１について許容レベル以内の変動に制限し、また、リップルを除去して得られた直流電圧となる。
【００１９】
ここで、図２に、リミッタ／リップルフィルタ４の回路構成例を示す。図示するようにして、リミッタ／リップルフィルタ４は、主として、リミッタ回路部４１、リップルフィルタ回路部４２、及びチャージポンプ回路４３とから成る。
リミッタ回路部４１においては、先ず、ダイオードＤ２３及び平滑コンデンサＣ２４から成る半波整流回路に直流電圧Ｅ１が入力され、これにより、平滑コンデンサＣ２４の両端電圧として直流電圧Ｅ１に対応するレベルの直流電圧を得る。そして、この直流電圧Ｅ１は、分圧抵抗Ｒ３１−Ｒ３２により分圧される。この分圧抵抗Ｒ３１−Ｒ３２はバイポーラのトランジスタＱ１１のベースに接続されており、これにより、トランジスタＱ１１のベースバイアス電圧が得られる。
トランジスタＱ１１のコレクタは、平滑コンデンサＣ１の正極端子と接続されていることで、直流電圧Ｅ１をＶｃｃとして入力している。エミッタは、抵抗Ｒ３３を介してアースと接続される。つまり、トランジスタＱ１１を備えるエミッタフォロワが形成されている。抵抗Ｒ３３は、後述するリップル回路フィルタ４１のエミッタ抵抗として共用される。
そのうえで、トランジスタＱ１１のベースとアース間には、ツェナーダイオードＺＤ３とコンデンサＣ２１の並列回路が接続されている。
【００２０】
このような構成によるリミッタ回路部４１においては、例えば直流電圧Ｅ１が所定の許容レベル以上に上昇したのに応じて、コンデンサＣ２４の両端電圧レベルも上昇することになる。これにより、ツェナーダイオードＺＤ３には逆方向電圧が印加されて導通することになる。ツェナーダイオードＺＤ３が導通すれば、ツェナーダイオードＺＤ３と並列接続されたコンデンサＣ２１の両端電圧の上昇が制限され、トランジスタＱ１１のベースバイアス電圧も制限されることになる。これにより、トランジスタＱ１１のコレクタとアース間の電位（Ｅ１ａ）も制限される。
【００２１】
また、リップル回路フィルタ４１は、パワーＭＯＳ−ＦＥＴによるトランジスタＱ１３と、バイポーラのトランジスタＱ１２、及び分圧抵抗Ｒ３４−Ｒ３５，Ｒ３６、及び抵抗Ｒ３３を備えている。
トランジスタＱ１３のドレインは、トランジスタＱ１１のコレクタと接続される。ソースは、平滑コンデンサＣ２の正極端子と接続される。ゲートは、チャージポンプ回路４３の出力と接続される。
トランジスタＱ１２のコレクタは、トランジスタＱ１３のゲートと接続される。エミッタは、エミッタ抵抗Ｒ３３を介してアースと接続される。ベースは、分圧抵抗Ｒ３４−Ｒ３５，Ｒ３６の接続点と接続される。分圧抵抗Ｒ３４−Ｒ３５，Ｒ３６は、平滑コンデンサＣ２に対して並列に接続される。つまり、トランジスタＱ１２のベース電圧は、分圧抵抗Ｒ３４−Ｒ３５，Ｒ３６により直流電圧Ｅ２を分圧して得られる電圧となる。
【００２２】
チャージポンプ回路４３は、トランジスタＱ１３の適正なゲート電圧を得るために、所定レベルの直流電圧をゲートに重畳するために設けられる。
チャージポンプ回路４３には、交流電圧源ＶＡがカップリングコンデンサＣ２２を介して入力される。本実施の形態の電源装置が搭載される電子機器は、例えばＤＶＤなどのメディアドライブを備えている。このメディアドライブのための電源供給は、ここでは図示していないが、チョッパ方式によるスイッチングレギュレータによって行われる。この場合の交流電圧源ＶＡは、このスイッチングレギュレータにおけるスイッチング出力を利用することができる。
【００２３】
カップリングコンデンサＣ２２を介しチャージポンプ回路４３に入力された交流電圧源ＶＡは、ダイオードＤ２１，Ｄ２２、抵抗Ｒ３７、コンデンサＣ２３、及びツェナーダイオードＺＤ４から成る全波整流回路によって整流されて直流電圧に変換される。このチャージポンプ回路４３の出力である直流電圧が、電位Ｅ１ａのラインと、トランジスタＱ１３のゲート間に挿入されることで、ドレイン電圧よりも高い適正なゲート電位が得られる。
【００２４】
この構成では、トランジスタＱ１２のコレクタに流れる電流に応じて、トランジスタＱ１３のゲート電位がコントロールされることになる。つまり、直流電圧Ｅ２のレベル変動に応じてコントロールされることになるが、これによっては、直流電圧Ｅ２に現れるリップルをキャンセルするようにして、ドレイン−ソース間を流れる電流量をコントロールしていることになる。
このような動作から、リミッタ／リップルフィルタ４としては、直流電圧Ｅ１について許容レベル以内の変動に制限し、また、リップルを除去して得られた直流電圧Ｅ２を平滑コンデンサＣ２の両端電圧として得ていることが分かる。
【００２５】
図１に説明を戻す。
上記のようにして得られた直流電圧Ｅ２は、負荷であるアンプ回路５に対して動作電源として供給されることになる。
ここで、これまでの説明から理解されるように、直流電圧Ｅ２は安定化されているものではなく、所定の許容レベル範囲内で変動する。このため、アンプ回路５は、この変動する直流電圧Ｅ２により動作することになる。
しかしながら、直流電圧Ｅ２が供給されるアンプ回路５は、オーディオ信号を音声としてスピーカから出力するための増幅を行う回路である。そして、このアンプ回路５の実際としては、直流電源が或る程度変動したとしても、この影響による出力音声の変化は、聴感上ではほとんど感じられないため、特に問題にはならない。つまり、本実施の形態では、アンプ回路５に電源供給を行うメイン電源部１００については、このような特質を利用して、安定化回路を省略しているということがいえる。これにより、例えば低コスト化を促進しているものである。
【００２６】
続いて、サブ電源部２００における、サブトランス１２の二次側の構成について説明する。
サブトランス１２の二次巻線Ｎ１２に得られた交流電圧は、ブリッジ整流回路Ｄｉ２により整流される。このブリッジ整流回路Ｄｉ２の整流出力は、ダイオードＤ１を介して、平滑コンデンサＣ１１を充電する。これにより、平滑コンデンサＣ１１の両端電圧として、安定化前の直流電圧Ｅ１１が得られる。
なお、ダイオードＤ１１は、後述するようにして、同じブリッジ整流回路Ｄｉ２の整流出力によって充電される平滑コンデンサＣ１５の両端電圧である直流電圧Ｅ１３のレベルが、上記直流電圧Ｅ１１の変化に影響されないようにするために挿入される。
【００２７】
平滑コンデンサＣ１１の両端電圧である直流電圧Ｅ１１は、サブトランス１２の二次巻線Ｎ１２に得られた交流電圧を整流平滑化して得られたものであり、安定化前の直流電圧である。また、サブ電源部１１の負荷としては、マイクロコンピュータ３０の直流電源の他、リモートコントローラからの操作コマンドの受信回路、及びリレー駆動のための回路であり、これらの負荷に供給すべき電源が確保できればよい。これに対して、メイン電源部１００の負荷はアンプ回路５であり、アンプ回路５は、オーディオ信号をスピーカにより音声として出力するだけの多くの電流量を必要とする重い負荷である。つまり、サブ電源部２００側では、メイン電源部１００側ほどの電力供給能力は要求されない。このため、サブ電源部２００に流れる電流は、メイン電源部１００と比較して遥かに少ない。また、サブトランス１２の二次巻線Ｎ１２に得られる交流電圧は、メイントランス２の二次巻線Ｎ２に得られる交流電圧よりも低く設定されている。
このため、直流電圧Ｅ１１について安定化するのにあたり、ここでは、三端子レギュレータ１５を用いることとしている。つまり、この場合の直流電圧Ｅ１１は、例えば三端子レギュレータによって安定化しても、問題になるほどの電力損失は生じないものである。
【００２８】
三端子レギュレータ１５の出力は平滑コンデンサＣ１２に供給される。これにより、平滑コンデンサＣ１２の両端電圧としては、所定レベルに安定化された直流電圧Ｅ１２が得られる。この直流電圧Ｅ１２は、マイクロコンピュータ３０の電源入力ポートＶｄｄに供給される。マイクロコンピュータ３０は、この電源入力ポートＶｄｄに入力された直流電圧Ｅ１２を動作電源とする。
【００２９】
また、ブリッジ整流回路Ｄｉ２の整流出力は、分岐しており、平滑コンデンサＣ１５も充電する。これにより、平滑コンデンサＣ１５の両端電圧としても、安定化されない直流電圧Ｅ１３が得られる。
この直流電圧Ｅ１３は、マイクロコンピュータ３０が検出すべき、サブ側検出用電圧を生成し、また、商用交流電源ＡＣにＡＣプラグ２５が差し込まれることによって、商用交流電源ＡＣが投入されるのに応じて、マイクロコンピュータ３０をリセットするためのリセット電圧を生成するために用いられる。
【００３０】
つまり、直流電圧Ｅ１３が得られる平滑コンデンサＣ１５に対しては、サブ側検出回路１３が接続される。
サブ側検出回路１３は、平滑コンデンサＣ１５に対して、分圧抵抗Ｒ１１−Ｒ１２と、例えば抵抗Ｒ１２に対して並列に接続されたコンデンサＣ１３とにより形成される。そして、分圧抵抗Ｒ１１−Ｒ１２により直流電圧Ｅ１３を分圧して得られる電圧レベルが、サブ側検出用電圧となる。このサブ側検出用電圧は、マイクロコンピュータ３０のモニタポートＭＯＮ２に対して入力される。
【００３１】
また、リセット回路１４は、平滑コンデンサＣ１５に対して並列に接続される、抵抗Ｒ１３−Ｒ１４の直列回路と、抵抗Ｒ１４に対して並列に接続されるコンデンサＣ１４、ツェナーダイオードＺＤ１とから成る。この回路では、商用交流電源ＡＣが投入され、平滑コンデンサＣ１５の両端電圧として直流電圧Ｅ１３が発生するのに応じて、抵抗Ｒ１３−Ｒ１４により分圧された電位により、コンデンサＣ１４への充電を行う。そして、この充電動作によって得られるコンデンサＣ１４の両端電圧としては、ツェナーダイオードＺＤ１によりほぼ一定となるように制御される。このようにして得られたコンデンサＣ１４の両端電圧としての低圧の直流電圧は、リセット電圧として、マイクロコンピュータ３０のリセットポートＲＥＳＥＴに入力されることになる。
【００３２】
マイクロコンピュータ３０は、本実施の形態の電源装置が備えられる電子機器のシステム制御を実行するもので、例えば内部に記憶されたプログラムに従って動作する。
マイクロコンピュータ３０は、各種の機能に応じた制御を実行するために複数のポートを備えるが、ここでは、これらのポートのうち、主として電源回路に関して必要とされるポートを示している。
図示しているポートのうち、電源入力ポートＶｄｄ、モニタポートＭＯＮ１、モニタポートＭＯＮ２、及びリセットポートＲＥＳＥＴは、前述したとおりである。
【００３３】
スイッチコントロールポートＯＮ／ＯＦＦは、メインスイッチ２１のオン／オフをコントロールするためのオン／オフ信号が出力されるポートである。このオン／オフ信号に応じて、リレー駆動回路２２が、リレーＲＹの導通／非導通の状態をコントロールするのに応じて、メインスイッチ２１のオン／オフコントロールが行われることになる。
【００３４】
リレーＲＹは、直流電圧Ｅ１のライン（平滑コンデンサＣ１１の正極端子）と、リレー駆動回路２２のトランジスタＱ１のコレクタ間に挿入される。
リレー駆動回路２２は、トランジスタＱ１、抵抗Ｒ２１，Ｒ２２、ダイオードＤ１１、及びツェナーダイオードＺＤ２を備える。トランジスタＱ１のエミッタは、アースに接続される。ベースはベース電流制限用の抵抗Ｒ２１を介して、マイクロコンピュータ３０のスイッチコントロールポートＯＮ／ＯＦＦと接続される。抵抗Ｒ２２はベース−エミッタ間抵抗である。ダイオードＤ１、ツェナーダイオードＺＤ２は図示する方向により、リレーＲＹに対して並列に接続される。
【００３５】
マイクロコンピュータ３０が、メインスイッチ２１をオンとするためには、オン信号として、スイッチコントロールポートＯＮ／ＯＦＦから所定レベルの正極性の直流電圧（Ｈレベルの信号）を出力する。このオン信号により、リレー駆動回路２２のトランジスタＱ１にはベース電流が流れてコレクタ電流が流れ、リレーＲＹが導通する。リレーＲＹは、導通して通電しているときにはメインスイッチ２１をオンとする。これにより、メイントランス２に対して商用交流電源ＡＣが入力され、メイン電源部１００が動作することになる。
【００３６】
ここで、サブ電源部２００側には、商用交流電源のラインにスイッチは挿入されていない。このため、ここまでの説明から理解されるように、ＡＣプラグ２５がコンセントに差し込まれて商用交流電源ＡＣが投入された状態では、商用交流電源ＡＣがサブ電源部２００側に供給され、直流電圧Ｅ１２，Ｅ１３が得られることとなって、マイクロコンピュータ３０には電源供給が行われて起動可能な状態が得られている。つまり、いわゆるスタンバイ状態となっている。マイクロコンピュータ３０は、このスタンバイ状態の下で、上記のようにしてメインスイッチ２１をオフからオンに切り換える制御を実行することで、メイン電源部１００のオン／オフコントロールを行うことができるようになっている。
【００３７】
これに対して、メインスイッチ２１をオフとするためには、マイクロコンピュータ３０は、オフ信号として、スイッチコントロールポートＯＮ／ＯＦＦからの電圧出力を負極性に反転させるか停止させる。つまり、Ｌレベルを出力する。このオフ信号により、リレー駆動回路２２のトランジスタＱ１にはベース電流が流れなくなってオフとなり、リレーＲＹが非導通となる。リレーＲＹは、非導通のときにはメインスイッチ２１をオフとする。これにより、メイントランス２に対する商用交流電源ＡＣの供給は行われなくなり、メイン電源部１００は動作しない。
【００３８】
ここで、本実施の形態の電源装置が搭載される電子機器は、フロントパネルに配置されるキーなどの操作子の他、リモートコントローラによる操作が可能に構成されている。そして、例えばスタンバイ状態では、マイクロコンピュータ３０と共に、リモートコントローラから送信されてくる操作コマンドを受信、デコードするための受信回路も動作可能な状態となるように電源供給されている。
これに対応して、この図では、マイクロコンピュータ３０のポートとして、コマンド入力ポートＣＭＤも示されている。このコマンド入力ポートＣＭＤには、上記フロントパネルの操作子に対する操作に応じて出力される操作コマンド、及び上記受信回路により受信、デコードされた操作コマンドが入力される。つまり、フロントパネルの操作子及びリモートコントローラに対する操作に応じた操作コマンドが入力される。
上記したマイクロコンピュータ３０によるメインスイッチ２１のオン／オフコントロールの動作は、このコマンド入力ポートＣＭＤに入力された、メイン電源部１００をオン／オフするための操作コマンドに応じて行うことができる。
【００３９】
さらに、この図では、マイクロコンピュータ３０に接続されたスタンバイインジケータ３１を示している。このスタンバイインジケータ３１は、例えば発光ダイオードから成り、電子機器の筐体に表出するようにして設けられている。マイクロコンピュータ３０は、このスタンバイインジケータ３１を駆動して発光状態を制御することができる。例えばスタンバイ状態にあるときには、スタンバイインジケータ３１の点灯を継続させるように駆動して、これにより、スタンバイ状態であることを示す。また、例えば何らかの異常状態が発生したときには、スタンバイインジケータ３１を所定パターンにより点滅させるように駆動し、これにより、異常な状態が電子機器に発生していることを示す。
なお、この図では、スタンバイインジケータ３１としての発光ダイオードがマイクロコンピュータ３０に直接的に接続されている状態として示されているが、例えばマイクロコンピュータ３０が、発光ダイオードを駆動する駆動回路をコントロールするように構成されていてもよいものである。
【００４０】
ここで、電源回路に入力される商用交流電源ＡＣは、必ずしも定格レベルで定常的に一定なのではなく変動することが分かっている。そして、上記構成による電源回路では、このような商用交流電源ＡＣのレベル変動は、メイン電源部１００においてはメイントランス２の二次側のレベル変動を生じる。ここで、特に電圧レベルが上昇するようにして変動したとすれば、その電圧上昇分に応じた部品素子への電圧印加、及び電流増加となるために、部品素子への負担が増えることになる。
このようなことを考慮して、定格電圧に対する所定範囲内の電圧変動に対しては、メイン電源部１００の適正動作が保証されるように、メイン電源部１００についての設計が行われている。
【００４１】
しかしながら、上記した動作保証範囲を越える程度にまで商用交流電源ＡＣのレベルが上昇する場合がある。
例えば或る国においては、電源供給設備から家屋までの配電経路が非常に長いような地域がある。このような地域では、例えば、日中などの地域全体の電力消費が多くて負荷が重いとされる時間帯では、家屋に供給される商用交流電源の電圧レベルが低下しているのであるが、夜間になって地域全体の電力消費が少なくなると商用交流電源レベルは大幅に上昇するようなときがある。そして、このときに電源回路の動作保証範囲を越えるようなレベルにまでいたることがある。
このようなレベルの商用交流電源が、例えば本実施の形態の電源回路のメイン電源部１００にそのまま入力されたとすると、メイン電源部１００における部品素子に許容以上の電圧印加若しくは電流が流れるなどして破壊される可能性が生じてくる。
【００４２】
なお、前述もしたように、サブ電源部２００側に要求される負荷に対する電源供給能力は、メイン電源部１００よりも低く、従って、サブ電源部２００に流れる電流量もメイン電源部１００と比較しては、非常に少ない。このため、メイン電源部１００の動作保証範囲を越えるようなレベルの商用交流電源ＡＣが入力されたとしても、これに応じてサブ電源部２００に流れる電流量の増加も非常に少ない。従って、サブ電源部２００側では、部品素子が破壊されることなく、正常な動作が保証される。
【００４３】
このようにして、本実施の形態の電源回路については、メイン電源部１００の動作保証範囲を越える商用交流電源ＡＣのレベル上昇が生じたとされる場合に、この状態を検出してメイン電源部１００を保護する必要がある。
【００４４】
また、本実施の形態の電源回路では、電子機器の使用地域の商用交流電源ＡＣの定格レベルに応じて、手動操作によって電圧セレクタ１，１１を切り換えるようにされている。
しかしながら、この操作を誤って、使用地域の商用交流電源ＡＣの定格レベルに対応していない電圧セレクタ１，１１の切り換え設定を行った場合には、メイントランス２の二次巻線Ｎ２に、メイン電源部１００の動作保証範囲を越える程度の高いレベルの交流入力電圧が生じる場合がある。
例えば、電圧セレクタ１，１１をＡＣ１００Ｖに対応して端子ｔ４と端子ｔ１とを接続したときの一次巻線と二次巻線の巻線比が、メイントランス２の二次巻線Ｎ２に得られる交流電圧レベルが商用交流電源ＡＣに対して最も大きくなる。メイン側セレクタ１において、このＡＣ１００Ｖに対応した端子切り換えを設定した状態で、ＡＣ２２０Ｖ系またはＡＣ２４０Ｖの商用交流電源ＡＣが入力されると、このときにメイントランス２の二次側に得られる交流電圧レベルは、保証動作範囲を越えてしまう場合がある。
【００４５】
つまり、本実施の形態では、上記したような電圧セレクタ１，１１についての切り換え設定が間違った状態で商用交流電源ＡＣが入力されることによるメイン電源部１００の破壊を防止するための保護を行う必要もある。
【００４６】
そこで、本実施の形態では、先に図１及び図２により説明した電源装置の構成の下で、商用交流電源ＡＣの過大レベル、及び電圧セレクタ１，１１についての誤設定に対応したメイン電源部１００の保護を、次のようにして行うようにされる。
図３は、メイン電源部１００を保護するために、マイクロコンピュータ３０が実行する処理動作を示している。この図を参照して、メイン電源部１００を保護するための電源装置としての動作を説明する。
【００４７】
この図３に示す処理は、ＡＣコンセントに対して、電源装置のＡＣプラグ２５が差し込まれることで、商用交流電源ＡＣが電源装置に投入されるところから開始されている。
商用交流電源ＡＣが電源装置に投入されると、先に説明した図１の構成から分かるように、サブ電源部２００側において安定化された直流電圧Ｅ１２が生成されてマイクロコンピュータ３０の電源入力ポートＶｄｄに入力される。これにより、マイクロコンピュータ３０は電源供給を受けて、起動が可能な状態が得られることになる。また、サブ電源部２００では、直流電圧Ｅ１３も立ち上がるので、リセット回路１４においてリセット電圧が発生し、マイクロコンピュータ３０のリセットポートＲＥＳＥＴに入力される。
【００４８】
マイクロコンピュータ３０は、ステップＳ１０１として示すように、上記リセットポートＲＥＳＥＴにリセット電圧が入力されるのに応じて、自身をリセットするための処理を実行し、続くステップＳ１０２の処理によって起動する。
なお、商用交流電源ＡＣの投入によって起動したときには、マイクロコンピュータ３０は、メインスイッチ２１についてはオフ状態としたままとなるようにしている。つまり、スイッチコントロールポートＯＮ／ＯＦＦからはＬレベルの出力を継続させている。
【００４９】
そして、起動後においてはステップＳ１０３として示すように、現在モニタポートＭＯＮ２に入力されている電圧レベルを検出する。
ここで、モニタポートＭＯＮ２に入力されるのは、サブ側検出回路１３により生成されたサブ側検出用電圧であるが、このサブ側検出用電圧は、サブトランス１２の二次巻線Ｎ１２に得られる交流電圧を整流平滑化して生成される。これは、下記の意味を持つ。
１つには、サブトランス１２の二次巻線Ｎ１２に得られる交流電圧は、商用交流電源ＡＣのレベル変化に対応して変化する。従って、上記交流電圧を元に生成されるサブ側検出用電圧は、商用交流電源ＡＣのレベルを示していることになる。
また、連動切り換えされる電圧セレクタ１，１１の切り換えが設定が誤っていることで、サブトランス１２の二次側において、入力される商用交流電源ＡＣの定格レベルに対応していない異常レベルの電圧が発生している状態である場合、このような電圧レベルの状態も示していることになる。
また、サブ側検出用電圧は、サブトランス１２の二次巻線Ｎ１２に得られる交流電圧を整流平滑化して得られる安定化されない直流電圧Ｅ１３を分圧して得られるが、メイン電源部１００側の直流電圧Ｅ１も、メイントランス２の二次巻線Ｎ２に得られる交流電圧を整流平滑化して得られる安定化されない直流電圧である。従って、サブ側検出用電圧は、メイン電源部１００側に商用交流電源ＡＣを入力したとされる場合に得られる直流電圧Ｅ１のレベルにも対応していることになる。
このことから、サブ側検出用電圧を検出することによっては、メイン電源部１００の二次側における電圧状態として、商用交流電源ＡＣのレベル変化に応じたレベル変化、及びメイン側セレクタ１の切り換えの誤設定による異常電圧の発生の有無を検出できることになる。
【００５０】
そして、マイクロコンピュータ３０は、次のステップＳ１０４において、モニタポートＭＯＮ２に入力されたサブ側検出用電圧の検出結果として、このサブ側検出用電圧のレベルが所定の正常レベルの範囲内であるか否かについて判別する。つまり、サブ側検出用電圧のレベルについて、例えばメイン電源部１００に商用交流電源ＡＣを入力させたとした場合に、メイン電源部１００の二次側において得られる電圧レベルとして、メイン電源部１００の動作を保証する範囲内とされるレベルにあるか否かを判別する。
【００５１】
ここで、上記ステップＳ１０４において判別基準となる正常レベルの範囲内の具体例について説明しておく。
本実施の形態の電源装置として、メイン電源部１００については、商用交流電源ＡＣの定格レベルに対して、±１０％で完全に動作保証が得られるように設計しているが、結果的に、上限として＋３０％までは正常な動作が保証できる性能を有している。この＋３０％を越えると正常な動作が保証できなくなり、回路が破壊される可能性がでてくる。そこで、ステップＳ１０４における正常レベルの範囲として、上限値は商用交流電源ＡＣの定格レベルの＋３０％に対応したサブ側検出用電圧のレベルを設定している。
なお、本実施の形態の実際としては、上記正常レベルの範囲として、下限についても設定しているが、ここでは、説明を簡単にするために、正常レベルの範囲としては上限のみが設定されていることとして以降の説明は行っていくこととする。正常レベルの範囲としての下限値の具体例、及びこの下限値を設定することの必要性については後述する。
【００５２】
そして、ステップＳ１０４において、正常レベルの範囲外であるとして否定結果が得られた場合には、ステップＳ１１３の処理に進む。
ステップＳ１１３では、メイン電源部１００をオンとすることについて禁止とするモードを設定する。これにより、以降において、例えばメイン電源部をオンとするための操作に応じて、マイクロコンピュータ３０のコマンド入力ポートＣＭＤに対して、メイン電源をオンとするための操作コマンドが入力されたとしても、マイクロコンピュータ３０は、このコマンドの応答を無効とする。つまり、メインスイッチ２１をオフからオンに切り換えるための制御は実行しない。
【００５３】
ステップＳ１０４において、正常レベルの範囲外であるとの判別結果が得られたということは、商用交流電源ＡＣのレベルがメイン電源部１００の動作保証範囲を越えて過大となっている、若しくは、電圧セレクタ１，１１の切り換えが誤設定されていることで、メイン側セレクタ１の二次側においては、メイン電源部１００の動作保証範囲を越えた電圧が生じることになる、ということに対応する。
そこで、上記ステップＳ１１３の処理によって、メインスイッチ２１がオンとはならないように制御することで、メイン電源部１００には商用交流電源ＡＣが投入されないことになって、メイン電源部１００が破壊されないように保護されることになる。
【００５４】
そして、上記ステップＳ１１３の処理と共に、続くステップＳ１１４の処理として、スタンバイインジケータ３１を点滅させるための制御を実行する。スタンバイインジケータ３１が点滅している状態は、本実施の形態の電源装置が搭載される電子機器において、何らかの異常が発生していることを示す。ユーザは、スタンバイインジケータ３１が点滅している状態を見ることで、電子機器に異常が発生していることを認識することができる。
【００５５】
ステップＳ１１５として示しているように、ステップＳ１１３及びＳ１１４の処理によって得られる、メイン電源部１００のオンを禁止し、また、スタンバイインジケータ３１を点滅させる動作は、商用交流電源ＡＣの入力が停止されるまで継続される。つまり、商用交流電源ＡＣが入力されていても、この状態を維持することで、メイン電源部１００を保護し、また、スタンバイインジケータ３１の点滅により、動作の異常を通知し続ける。
そして、例えばユーザがＡＣプラグ２５をＡＣコンセントから抜いて、商用交流電源ＡＣの供給を停止させ、マイクロコンピュータ３０が動作を停止したときに、スタンバイインジケータ３１も点滅を停止して非点灯の状態となる。
例えば、本実施の形態の電源装置が搭載される電子機器の取扱説明書には、スタンバイインジケータ３１の点滅が示す動作異常の原因可能性を列記している。ユーザは、この取扱説明書の内容を見て、可能なものについては動作異常の原因を解決できる。例えば、取扱説明書には、電圧セレクタ１，１１の切り換えの誤設定が原因の１つとして記載されているので、実際に原因が電圧セレクタ１，１１の切り換えの誤設定であった場合には、ユーザは、電圧セレクタ１，１１を正しく設定し直して、動作異常の原因を解消できることになる。
【００５６】
また、ステップＳ１０４において正常レベルの範囲内であるとして肯定結果が得られた場合には、ステップＳ１０５以降の処理に進む。
ステップＳ１０５においては、メイン電源部１００をオンとすることについて許可するモードを設定する。これにより、以降において、例えばコマンド入力ポートＣＭＤに対してメイン電源部１００をオンとするためのコマンドが入力された場合には、マイクロコンピュータ３０は、これに応答して、メイン電源部１００をオンとするための処理（オン信号出力）を実行できることになる。
【００５７】
そして、次のステップＳ１０６においては、コマンド入力ポートＣＭＤに対してメイン電源部１００をオンとするためのコマンドが入力されるのを待機している。このステップＳ１０６が実行されているときは、いわゆるスタンバイモードといわれているモード状態であり、サブ電源部２００から供給される電源電圧によってマイクロコンピュータ３０（及びリモートコントローラからの操作コマンドの受信回路）は動作可能な状態とされているが、メイン電源部１００はオフとされている状態である。また、実際においては、このステップＳ１０６の処理を実行しているとされるマイクロコンピュータ３０は、スリープモードの状態にあり、低消費電力の状態である。
そして、コマンド入力ポートＣＭＤにメイン電源部１００をオンとするための操作コマンドが入力されると、例えばマイクロコンピュータ３０は、スリープモードから通常モードに復帰した上で、ステップＳ１０７の処理に進む。
【００５８】
続くステップＳ１０７→ステップＳ１０８によっては、先のステップＳ１０３→Ｓ１０４と同様にして、モニタポートＭＯＮ２に入力されているサブ側検出用電圧のレベルを検出して、正常レベルの範囲内であるか否かについて判別する。
例えば商用交流電源ＡＣの投入時においてステップＳ１０３→Ｓ１０４の処理によって、サブ側検出用電圧のレベルが正常範囲内であった、つまり、商用交流電源ＡＣの入力レベルが適正であり、電圧セレクタ１，１１の切り換え設定が適正であったとしても、この後のメイン電源部１００をオンとするときにも、この正常な状態であるとは限らない。そこで、メイン電源部１００をオンとして起動させるときにも、ステップＳ１０７→ステップＳ１０８によるサブ側検出用電圧が正常レベル範囲内であるか否かの確認を行うものである。
【００５９】
ステップＳ１０８において、正常レベル範囲内ではないとして否定結果が得られた場合には、ステップＳ１１３に進む。これにより、メイン電源部１００をオンとすることについて禁止とする設定モードとなるが、この場合には、既にメインスイッチ２１はオンとされて、メイン電源部１００はオンの状態にある。従って、ここでのステップＳ１１３の禁止設定処理としては、先ず、メインスイッチ２１をオフとするための制御を実行する。つまり、スイッチコントロールポートＯＮ／ＯＦＦから出力されていたＨレベルのオン信号を、Ｌレベルのオフ信号に切り換える。これにより、メイン電源部１００には商用交流電源ＡＣが供給されないこととなって、回路の保護が図られることになる。また、このステップＳ１１３の処理としては、先に説明したようにして、以降におけるメイン電源部１００をオンとするための操作コマンドをキャンセルするようにも設定されることになる。
そして、ステップＳ１１３の処理を実行すると、この場合にも、ステップＳ１１４の処理を実行して、スタンバイインジケータ３１を点灯させて異常の通知を行う。
【００６０】
これに対して、ステップＳ１０８において、正常レベルの範囲内であるとの判別結果が得られた場合には、現在、商用交流電源ＡＣのレベルは適正であり、また、電圧セレクタ１，１１の切り換え設定も正しい状態であることになる。そこで、この場合には、ステップＳ１０９に進んで、メインスイッチ２１をオンとするための処理を実行する。つまり、スイッチコントロールポートＯＮ／ＯＦＦから、Ｈレベルのオン信号を出力する。
これにより、メイン電源部１００に商用交流電源ＡＣが投入されて、メイン電源部１００がオン状態となって動作することになる。そして、以降においては、メイン電源部１００がオンとされている状態での通常モードにおける各種動作を実行するようにされる。
【００６１】
そして、メイン電源部１００がオンとされている状態での通常モードの下では、ステップＳ１１０〜ステップＳ１１２に示す処理が実行される。
先ず、ステップＳ１１０により一定時間が経過するのを待機した後、ステップＳ１１により、モニタポートＭＯＮ１に入力される電圧レベルを検出する。
そして、次のステップＳ１１２により、このモニタポートＭＯＮ１に入力される電圧レベルが、正常レベルの範囲内であるか否かについて判別するようにされる。
つまり、先のステップＳ１０３→Ｓ１０４、及びステップＳ１０７→Ｓ１０８の処理によっては、サブ電源部２００側にて得られるサブ用検出電圧を検出して正常レベル範囲内か否かの判別を行っていたのであるが、ここでは、メイン電源部１００側にて得られるメイン用検出電圧を検出して判別を行うようにされている。
【００６２】
そして、ステップＳ１１２において、正常レベルの範囲内であることが判別された場合には、ステップＳ１１０の処理に戻る。つまり、メイン用検出電圧が正常レベルの範囲内である限りは、このステップＳ１１０〜Ｓ１１２の処理が繰り返し実行される。
これに対して、ステップＳ１１２により正常レベルの範囲内でないことが判別された場合には、ステップＳ１１３以降の処理に進む。これにより、これまでオンとされていたメイン電源部１００はオフとなる。
【００６３】
このステップＳＳ１１０以降の処理は、メイン電源部１００の起動中において生じたとされる商用交流電源ＡＣのレベル変動や、電圧セレクタ１，１１の不用意な誤った切り換えなどによって、メイン電源部１００に動作保証範囲外の電圧が生じていないかどうかを監視している動作となる。
【００６４】
前述もしたように、メイン側検出回路３にて生成されるメイン用検出電圧は、メイン電源部１００側におい得られる安定化されない直流電圧Ｅ１を分圧して得られるものである。従って、メイン電源部１００が起動中にあって直流電圧Ｅ１が得られている状態では、この直流電圧Ｅ１から得られるメイン用検出電圧により、異常を監視することができるわけである。
【００６５】
本実施の形態の構成では、メイン電源部１００の起動中においても、サブ用検出電圧により異常監視を行うことは可能である。しかしながら、実際のサブ電源部２００においては、メイン電源部１００が起動されると、この影響を受けて電圧変動を生じるので、サブ用検出電圧の元となる直流電圧Ｅ１３も変動する。このため、メイン電源部１００の起動中におけるサブ用検出電圧は、信頼性が若干落ちる。
そこで、本実施の形態では、メイン電源部１００の起動中においては、サブ用検出電圧に代えて、メイン用検出電圧を検出して異常監視を行うようにしている。メイン用検出電圧は、起動中にあるメイン電源部１００の直流電圧Ｅ１から得られるものであるから、メイン用検出電圧を監視することは、ほぼ直接メイン電源部１００の直流電圧Ｅ１の状態を監視していることと同等であり、高い信頼性が確保できるものである。
【００６６】
図１に示した電源回路の構成の下で、上記図３に示したマイクロコンピュータ３０の処理が実行されることで、本実施の形態では、例えば商用交流電源ＡＣが過大レベルとなっているときや、電圧セレクタ１，１１の切り換え設定が誤っていることによって生じる過大電圧入力に対して、メイン電源部１００側を保護することが可能とされている。
例えば従来の構成を、図１に示した回路に対応させたとすると、サブ側検出用電圧及びメイン用検出電圧を生成するサブ側検出回路１３及びメイン側検出回路３は設けられておらず、従って、マイクロコンピュータ３０にも、サブ側検出用電圧及びメイン用検出電圧を検出して、異常を監視する機能は与えられていなかったものである。これに代えて従来としては、例えば、図１において矢印Ａ，Ｂで示す、メイントランス２の二次巻線Ｎ２の両端と、ブリッジ整流回路Ｄｉ１の入力側とのライン間に対して、ヒューズを直列に挿入していた。また、矢印Ｃにより示す商用交流電源ＡＣのラインに対して、直列にヒューズを挿入していたものである。
しかしながら、このようなヒューズによる保護回路では、過大入力によってヒューズが溶断して商用交流電源ＡＣの供給が停止されるまでの時間に誤差が生じており、必ずしも確実に保護できることを保証することが難しかった。
これに対して本実施の形態では、電源回路において電源トランス（メイントランス２、サブトランス１２）の二次側において検出用電圧を生成するための回路部（メイン側検出回路３、サブ側検出回路１３）を設け、この検出用電圧に基づいてマイクロコンピュータ３０がメインスイッチ２１のオン／オフについての許可／禁止設定を行うことで、電源回路における異常状態に応じて、確実に保護動作を実行させることが可能とされている。
具体的には、先にも説明したように、例えば商用交流電源ＡＣの定格レベルの＋３０％以上に対応したサブ側検出用電圧又はメイン側検出用電圧のレベルとなると、保護動作がはたらくようにされている。
さらに、本実施の形態では、メイン電源部１００に商用交流電源を投入していない状態においても、サブ電源部２００側にて得られるサブ側検出用電圧により、異常状態を検知して、メイン電源を保護するという動作が得られていることになる。換言すれば、商用交流電源ＡＣをメイン電源部１００に入力させた上でのメイン電源部１００の状態を検出しなくとも、メイン電源部１００に商用交流電源ＡＣを投入したときの状態を推定して、回路保護を行うことができているものであり、この点でも、回路保護に関して高い信頼性が得られている。
また、本実施の形態としては、電圧監視と回路保護のためのメインスイッチのオン／オフコントロールについて、例えば電源回路内で完結した電圧監視回路、保護回路を設けるのではなく、マイクロコンピュータ３０のソフトウェア的な処理として電圧監視及び回路保護動作を実行させる構成となっている。これによっても、動作の信頼性が確保される。また、監視回路、保護回路を電源回路内で完結するかたちで設ける場合には、相応の部品点数が必要になるから、電源回路の基板サイズの小型軽量化、及びコストダウンを図ることが可能となる。
【００６７】
ところで、これまでの説明においては、商用交流電源ＡＣの定格レベルに対応する正常レベル範囲として、上記のようにして上限値（商用交流電源ＡＣの定格レベルに対して＋３０％）のみを設定していることとして説明を行った。しかしながら、本実施の形態の電源装置の実際としては、上記正常レベル範囲として下限値も設定される。
一般的なこととして、電源回路では、例えば回路部内の短絡や負荷短絡などの短絡の状態が生じる可能性がある。このような短絡にも対応して回路が保護されることが好ましい。そこで、本実施の形態では、上記した構成により、このような短絡に対応した回路保護も行うようにされる。
【００６８】
メイン電源部１００を例にとると、メイン電源部１００のメイントランス２の二次側において、短絡が生じたとすると、二次側で生成される直流電圧Ｅ１の電圧レベルが降下する。従って、短絡の状態を判定するのには、直流電圧Ｅ１を元とするメイン用検出電圧の検出レベルが短絡に対応したとされるレベルにまで低下したことを判別すればよい。同様にして、サブ電源部２００側においても、サブ用検出電圧の検出レベルが短絡に対応したとされるレベルにまで低下したことを判別すればよい。
そこで、図３におけるステップＳ１０４、Ｓ１０８における判別基準となる正常レベルの範囲として、上限値に加えて、短絡に対応するレベル低下を考慮して設定した下限値を設定することで、短絡状態であることを判別して回路保護動作を実行させることができる。また、ステップＳ１１０においても、同様にして、正常レベルの範囲として、短絡に対応するレベル低下を考慮して設定した下限値を設定して、短絡に対応した回路保護動作を実行させることができる。また、このような短絡に対応した回路保護の構成を採ることで、安全規格のための短絡試験対策のための回路としても利用することができる。
上記正常レベル範囲の下限値の具体例としては、例えば実際の実験結果などに応じて、商用交流電源ＡＣの定格レベルの−５０％に対応したメイン用検出用電圧、サブ用検出電圧のレベルを設定することとしている。但し、この正常レベル範囲の下限値、および先に説明した上限値の具体値は、あくまでも一例であり、実際の電源回路の仕様などに応じて適切な値が設定されるべきものである。
【００６９】
図４のフローチャートには、マイクロコンピュータ３０が実行すべき、電源回路保護のための処理動作としての他の例を示している。なお、図３と同じ処理には、同一のステップ番号を付している。
この図４において、ステップＳ１０１〜ステップＳ１１４までの処理は、先に図３により説明したのと同様の処理であり、ここでの説明は省略する。
【００７０】
図３に示した処理では、ステップＳ１１５として示したように、ステップＳ１１３によりメイン電源部１００をオンとすることを禁止する設定とされ、ステップＳ１１４によりスタンバイインジケータを点滅させた後は、商用交流電源ＡＣの供給を停止させるまで、この状態が継続された。つまり、通常のマイクロコンピュータ３０の動作モードに復帰させるためには、一旦ＡＣプラグを抜き、商用交流電源ＡＣが適正レベルのときにＡＣプラグ２５を再度差し込む、あるいは、電圧セレクタ１，１１を正しく切り換えてから、ＡＣプラグ２５を再度差し込むことになる。
【００７１】
これに対して、図４に示す処理では、一旦、メイン電源部１００のオンを禁止設定するモードに入ったとしても、例えば、商用交流電源ＡＣが適正レベルに戻るなどして、電源回路の安全な動作が保証される状態となった場合には、自動的に通常のモードに復帰できるように構成されている。
このために、図４に示す処理では、図３のステップＳ１１５の処理に代えて、ステップＳ１１５−１の処理を実行するようにされる。つまり、ステップＳ１１３→Ｓ１１４の処理を経た後において、一定時間が経過するのを待機する。そして、一定時間が経過したとされると、ステップＳ１０３の処理に進むようにされる。
【００７２】
この処理によれば、メイン電源部１００のオンを禁止設定するモードの下で、一定時間ごとにステップＳ１０３→Ｓ１０４の処理によって、サブ用検出電圧が正常レベル範囲内であるか否かについての判定が行われる。そして正常レベル範囲外であれば、再び、ステップＳ１１３以降の処理が実行されることで、メイン電源部１００のオンを禁止設定するモードが継続されることになる。
これに対して、正常レベル範囲内であることが判別されれば、ステップＳ１０４以降の処理に進むことになって、マイクロコンピュータ３０は、メイン電源部１００のオンを禁止設定するモードから、通常のモードに自動的に復帰することになる。
【００７３】
なお、電源装置の構成は必要に応じて適宜変更されて構わない。例えば、リミッタ／リップルフィルタ４に代えて、ＤＣ−ＤＣコンバータなどが備えられる構成も考えられる。また、図１及び図２に示した各回路部の構成の詳細としても、実際に応じて適宜変更されればよいものである。
【００７４】
【発明の効果】
以上説明したように本発明の電源装置は、共通の商用交流電源に対してメイン電源電圧を生成するメイン電源部と、サブ電源電圧を生成するサブ電源部とを備える。サブ電源部は、メイン電源部よりも軽負荷に対応する。そして、商用交流電源を一次側に入力して二次側からレベル変換して出力する電源トランスとして、メイン電源部側はメイン用電源トランスを備え、サブ電源側はサブ用電源トランスを備えている。そのうえで、サブ電源部側において、サブ電源用トランスの二次巻線に得られる交流電圧のレベルに応じたサブ側検出用電圧が生成され、このサブ側検出用電圧のレベルを検出するようにしている。サブ側検出用電圧は、サブ電源用トランスの二次巻線に得られる交流電圧のレベルに応じたものであるが、この交流電圧レベルは、一次側の商用交流電源レベルに応じたものである。
さらに、メイン電源用トランスの一次巻線と接続される側の商用交流電源のラインには、メイン電源部の動作をオン／オフするためのメイン電源用スイッチが挿入されるが、上記したサブ側検出用電圧のレベルの検出結果に応じては、メイン電源用スイッチがオン状態となることを禁止するように設定するための制御が実行される。
【００７５】
このような構成であれば、サブ電源側に商用交流電源が供給されて動作している状態でありさえすれば、上記サブ側検出用電圧のレベルとして、異常とされる商用交流電源のレベルに対応しているようなときには、メイン電源用スイッチがオンとならないようにすることができる。つまり、メイン電源部側に商用交流電源ＡＣを供給させないようにして、メイン電源部を保護することが可能となる。
そして、このような保護動作は、メイン電源部に商用交流電源を入力させていない状態であっても、事前に、商用交流電源が異常レベルであることを検知して、メイン電源部を確実に保護しているということになるものであり、従来のヒューズに依存した保護機能と比較すれば、メイン電源部を高い信頼性で保護することが可能とされているものである。
【図面の簡単な説明】
【図１】本発明の実施の形態としての電源装置の構成例を示す回路図である。
【図２】実施の形態の電源装置におけるリミッタ／リップルフィルタの構成例を示す回路図である。
【図３】マイクロコンピュータが実行する電源回路保護のための処理を示すフローチャートである。
【図４】マイクロコンピュータが実行する電源回路保護のための処理を示すフローチャートである。
【符号の説明】
１  メイン側セレクタ、２  メイントランス、３  メイン側検出回路、４  リミッタ／リップルフィルタ、５  アンプ回路、１１  サブ側セレクタ、１２  サブトランス、１３  サブ側検出回路、１４  リセット回路、１５  三端子レギュレータ、２１  メインスイッチ、２２  リレー駆動回路、２５  ＡＣプラグ、３０  マイクロコンピュータ、３１  スタンバイインジケータ、４１  リミッタ回路、４２  リップルフィルタ回路、４３  チャージポンプ回路、１００  メイン電源部、２００  サブ電源部、Ｄｉ１，Ｄｉ２  ブリッジ整流回路、Ｃ１，Ｃ２，Ｃ１１，Ｃ１２，Ｃ１５  平滑コンデンサ
【図１】
2004328958.tif 000003
【図２】
2004328958.tif 000004
【図３】
2004328958.tif 000005
【図４】
2004328958.tif 000006